(57)【要約】【課題】初心者が鍵盤楽器を演奏できるような、鍵盤楽器演奏用の楽譜表示システムを提供する。【解決手段】鍵盤楽器の演奏者により目視される表示部９３と、鍵盤楽器演奏用の楽譜を表示部９３で表示させ、かつ、楽譜で音符に対応する位置に音名を表示させ、かつ、音名の下に、音名に対応する鍵を押す指番号を表示させる制御部９８と、を有する、鍵盤楽器演奏用の楽譜表示システム９０を構成した。制御部９８は、楽譜提供設備９２、内部記憶装置９４、情報読み取り部９５等から楽譜を含む情報を入手可能である。【選択図】図１０
0003231531.tif 000002
【実用新案登録請求の範囲】
【請求項１】
鍵盤楽器の演奏者により目視される表示部と、
鍵盤楽器演奏用の楽譜を前記表示部で表示させ、かつ、前記楽譜で音符に対応する位置に音名を表示させ、かつ、前記音名の下に、前記音名に対応する鍵を押す指番号を表示させる制御部と、
を有する、鍵盤楽器演奏用の楽譜表示システム。
【請求項２】
前記制御部は、楽譜提供設備から送信され、かつ、前記楽譜を含む信号を受信する通信部に接続され、
前記制御部は、前記通信部で受信した信号に含まれる前記楽譜を前記表示部で表示させる、請求項１記載の鍵盤楽器用の楽譜表示システム。
【請求項３】
前記制御部は、前記楽譜が記憶された記憶装置に接続され、
前記制御部は、前記記憶装置に記憶されている前記楽譜を読み出して前記表示部で表示させる、請求項１記載の鍵盤楽器用の楽譜表示システム。
【考案の詳細な説明】
【技術分野】
【０００１】
本考案は、鍵盤楽器を演奏するために用いる楽譜表示システムに関する。
【背景技術】
【０００２】
鍵盤楽器の一例であるピアノを弾きたい、弾けるようになりたいと思っている人は多い。また、高齢者にとってピアノを弾くことが認知症予防にも効果があると言われているので、ピアノが弾けるようになりたいと思っている高齢者も多い。しかし、ピアノを弾けるようになるには楽譜を読めることが必要であり、これがピアノ初心者や高齢者にとって大きなハードルとなっている。特許文献１には、鍵盤楽器用の楽譜として主和音である「ド」「ミ」「ソ」のそれぞれの五線譜上での位置に「赤」「黄色」「青」で色分け表示する楽譜を提供することが記載されている。
【先行技術文献】
【特許文献】
【０００３】
【特許文献１】実開平１−１１７６６３号公報
【考案の概要】
【考案が解決しようとする課題】
【０００４】
しかしながら、特許文献１に記載された楽譜では、楽譜上の音階記号（音符）が、鍵盤のどの位置の鍵に対応するかは分かるが、実際に演奏する際にどの指で所定の音符に対応する鍵を押せばよいのか、といった点については触れられておらず、初心者にとっては鍵盤楽器を演奏する際の支障になっている。
【０００５】
本考案の目的は、初心者でも鍵盤楽器を演奏することができるようになる鍵盤楽器演奏用の楽譜表示システムを提供することにある。
【課題を解決するための手段】
【０００６】
本考案の鍵盤楽器用演奏の楽譜表示システムは、鍵盤楽器の演奏者により目視される表示部と、鍵盤楽器演奏用の楽譜を前記表示部で表示させ、かつ、前記楽譜で音符に対応する位置に音名を表示させ、かつ、前記音名の下に、前記音名に対応する鍵を押す指番号を表示させる制御部と、を有する。
【考案の効果】
【０００７】
本考案によれば、鍵盤楽器の演奏者は、自分の指の指番号と、音名に対応する鍵の位置を理解すれば、表示部に表示される楽譜には、音名とそれに対応する指番号とが表示されているので、演奏者は、楽譜を見ることで、鍵盤楽器を弾くことができるようになる。
【図面の簡単な説明】
【０００８】
【図１】鍵盤楽器を演奏するにあたり、右手及び左手のそれぞれの指に予め付される指番号を説明する図である。
【図２】鍵盤の各鍵の音名と、右手及び左手の指番号との対応関係を説明する図である。
【図３】指の練習用のチェック表である。
【図４Ａ】演奏曲のリズムの練習用図である。
【図４Ｂ】演奏曲の拍の練習用図である。
【図５】従来の右手用の楽譜の一例である。
【図６】本考案の楽譜表示システムにおいて、表示部に表示される右手用の楽譜の一例である。
【図７】本考案の楽譜表示システムにおいて、表示部に表示される左右同時演奏用の楽譜の一例である。
【図８】本考案の楽譜表示システムにおいて、表示部に表示され、かつ、左右の指で同時に演奏する際のピアノ演奏用楽譜の一例である。
【図９】本考案の楽譜表示システムにおいて、表示部に表示され、かつ、左右の指で同時に演奏する際のピアノ演奏用楽譜の一例である。
【図１０】本考案の楽譜表示システムの一例を示す模式図である。
【考案を実施するための形態】
【０００９】
以下、本考案の実施の形態を図面に基づいて詳細に説明する。なお、実施の形態を説明するための全図において、同一部には原則として同一の符号を付し、その繰り返しの説明は省略する。また、音名の記載はイタリア式表記を用いて説明しているが、英米式記載、日本式表記でも同様である。さらに、音名は、イタリア式表記、英米式表記または日本式表記の中の何れか一つ、または、少なくとも二つを用いることも可能である。
【００１０】
本実施形態では、鍵盤楽器の一例であるピアノを演奏するためのピアノ演奏用楽譜の表表示システムを説明することに先立ち、演奏者が行うピアノ演奏の概要を説明する。演奏者がピアノを弾く練習は、例えば、演奏前の指の練習、演奏前のリズムと拍の確認、楽譜を使用したピアノ演奏、の順番で行われる。これらのピアノ演奏の練習は、ピアノ教室において演奏者が講師の指導を受けながら行ってもよいし、自宅において演奏者が単独で行ってもよい。
【００１１】
［演奏前の指の練習］
図１には、ピアノを弾くための左右の指とピアノを弾くときの指番号が示されている。右手、左手共に、親指から順に親指「１」、人差し指「２」、中指「３」・・小指「５」と指番号が付されている。図２はピアノの鍵盤２の鍵２Ａの音名（「ド」「レ」「ミ」「ファ」「ソ」「ラ」「シ」）と右手及び左手の指番号の位置関係の対応を示している図である。なお、本明細書において、「１」、「２」、「３」、「４」、「５」は、図１及び図２でそれぞれの指に示された丸付き数字に対応する。
【００１２】
右手の場合、親指（親指「１」）が「ド」、人差し指（人差し指「２」）が「レ」と続き、小指（指番号小指「５」）が「ソ」に対応している。演奏者は、この鍵盤２の鍵２Ａの音名と、右手の各指に対応する指番号との関係を記憶しておく。左手の場合は親指（人差し指「２」）が「ソ」、人差し指（指番号）が「ファ」と続き、小指（指番号小指「５」）が「ド」に対応している。
【００１３】
図３は、その指の練習用のチェック表である。図３において、左端欄の丸付き数字は指番号ではなく、練習例を示す数字である。図３の「声を出すのがポイントです！」の欄にある数字「１、２、３、４、５」は、それぞれ指番号を表している。まず、右手の練習として、演奏者は図３に記載の指番号に対応する指を1つずつ声を出して曲げていく。親指「１」の場合であれば数字が「１、２、３、４、５」と記載があるので、「イチ、ニ、サン、シ、ゴ」と声を出しながら、右手の親指から順番に曲げていく。
【００１４】
最初は手を見ながら順番に曲げていくことになるが、何回も繰り返して手を見ないで動かすことがスムーズにできるまで練習する。この練習が出来たら、演奏者はチェック表の右手の欄にチェックを入れる。なお、チェック欄の網掛けの欄は、指を見ないで動かせた場合のチェック欄である。次に左手も同じように練習する。
【００１５】
左右の手について、各指単独で上記の練習が出来るようになったら、左右両手の指を同時で同時に出来るように練習する。これを必要に応じて何回か繰り返し練習して、親指「１」に記載の指番号の動きが出来るようになったら、次は人差し指「２」に記載の指番号で親指「１」の時と同じように練習する。これも右手、左手、両手と順番に行っていく。このようにして、順次中指「３」、薬指「４」と行い、練習例「１０」までが完璧にできるまで練習する。
【００１６】
なお、指の練習としては、親指「１」で両手まで出来るようになったら人差し指「２」に進むやり方を一例として記載したが、必ずしもこの順番にこだわることなく、例えば右手だけ親指「１」から小指「５」（練習例「１０」）まで練習してマスターした後に左手を親指「１」から練習しても構わないし、右手より先に左手から親指「１」をスタートさせても構わない。
【００１７】
［演奏前のリズムと拍の確認］
図４Ａ及び図４Ｂはリズムと拍の練習用図面である。図４Ａは、演奏者がピアノで弾こうと思っている曲の正式な楽譜から、右手部分の音符とリズムを取り出したものである。図４Ａでは、各音符の下に、各音符に対応する音名がそれぞれ表示されている。演奏者は、図４Ａに記載されている音名をリズムに合わせて声を出して歌う。ただし音程は関係ない。図４Ａにおいて、音名の右横に記載されている「−」は更に１拍延ばす記号であり、例えば最初の「ミード」と記載されている箇所は、「ミード」と２拍分「ミ」を延ばして声を出す。最後の「ドーー」は３拍「ド」を延ばすことになる。
【００１８】
図４Ｂには、４分の３拍子の１拍目に対応する丸付き数字「１」、４分の３拍子の２拍目に対応する丸付き数字「２」、４分の３拍子の３拍目に対応する丸付き数字「３」が、それぞれ示されている。演奏者は、歌いながら図４Ｂを指さし、何拍目の音符なのかリズムを確認して歌うことにより、曲のリズムをより効率的に身に付けることになる。
【００１９】
図３には、３拍子の曲の一例が示されているが、４拍子の曲の場合は親指「１」、人差し指「２」、中指「３」、薬指「４」、６拍子の曲は親指「１」、人差し指「２」、中指「３」、薬指「４」、小指「５」，「６」など、その曲の拍子に合わせた表記となる。さらに、効率的に曲のリズムを身に付けるには、図２に示す鍵盤２を紙鍵盤としたものを用意し、その紙鍵盤を、実際のピアノの鍵盤に見立てて、指を置いてリズム感を身に付けてもよい。
【００２０】
［楽譜を使用したピアノ演奏・右手での演奏］
図５は、従来の楽譜（五線譜）８０が示され、かつ、音符６０、２分音符（２拍）６０Ａ及び付点２分音符（３拍）６０Ｂが示されている。
【００２１】
（楽譜の第１具体例）
図６は、図５に基づいて作成した右手演奏用の楽譜（五線譜）８１を示す。図５の音符６０，６０Ａ，６０Ｂにおける楕円形の黒丸、または、楕円形の白抜き丸に代えて、図６では、各音符７２に対応する音名Ａ１をそれぞれ表示し、さらに、各音名Ａ１の下部に、各音名Ａ１に対応付けられた指番号Ａ２を、算用数字でそれぞれ表示したものである。また、図５の楽譜８０に記載されている２分音符（２拍）６０Ａの場合は、図６において、音名Ａ１の右横に拍数Ａ３として「−」を一つ表示することで、この音名Ａ１が２拍であることを示している。図５の付点２分音符（３拍）６０Ｂの場合は、図６では拍数Ａ３として「−」が２つ記載されている。
【００２２】
演奏者は、図６の楽譜８１で音名Ａ１の右手の指番号Ａ２に対応する算用数字を、図２の鍵盤２の鍵２Ａで押す。その際、押した音名Ａ１の右横に、拍数Ａ３を示す「−」の記号があれば、その音はもう１拍分、鍵２Ａを押し続ける。なお、拍数Ａ３を示す「−」の１つが１拍となる。これにより、演奏者は楽譜８１の音名Ａ１の下に記載された指番号Ａ２に対応する右手の指で、当該指に対応する鍵盤２の鍵２Ａを押すだけで演奏を行うことができる。
【００２３】
（楽譜の第２具体例）
図７には、左右両方の指を交互に使って演奏する際に用いるピアノ演奏用の楽譜８２の一例が示されている。楽譜８２は、上下二段の五線譜８２Ａ，８２Ｂを１組とする大譜表である。上段（ト音記号のある五線譜８２Ａ）が右手用、下段（ヘ音記号のある五線譜８２Ｂ）が左手用の楽譜となる。右手については図６と同じであるが、その小節に何も記載がない場合は、それに対応している指は使わないことになる。
【００２４】
［両手を交互に使った演奏］
演奏者は、図７の楽譜８２に従い、音名Ａ１に対応する右手の指番号Ａ２に対応する指で鍵盤２の鍵２Ａを押す。この時左手の五線譜８２Ｂには何も記載がないので、左手の指で鍵盤２を押すことはない。図７の３段目の第２小節になると、音名Ａ１に対応する左手の指番号Ａ２に対応する指で、鍵盤２の鍵２Ａを押す。この時、右手の五線譜８２Ａには音名Ａ１及び指番号Ａ２が記載されていないので、右手で鍵盤２を押すことはない。これにより、演奏者は右手、左手と交互に指番号Ａ２に対応した鍵盤２の鍵２Ａを押すことで、両手によりメロディーを弾くことが可能になる。
【００２５】
（楽譜の第３具体例）
図８は、左右同時の指で演奏する際のピアノ演奏用楽譜である。図８に示す楽譜８３は、上下二段の五線譜８３Ａ，８３Ｂを１組とする大譜表である。上段（ト音記号のある五線譜８３Ａ）が右手用、下段（ヘ音記号のある五線譜８３Ｂ）が左手用の楽譜となる。右手については図６と同じであるが、左手も五線譜８３Ｂに記載された音符７２の位置に対応する音名Ａ１を記載し、音名Ａ１その下部に音名Ａ１に対応付けられた指番号Ａ２が記載されている。
【００２６】
［両手での同時演奏］
演奏者は、図８の楽譜８３の指示に従い、各音名Ａ１に付された左右の指番号Ａ２に対応する指で、鍵盤２の鍵２Ａを押す。その際、押した音名Ａ１の右横に拍数Ａ３を示す「−」の記号があれば、その音はもう一拍分、鍵２Ａを押し続ける。なお、拍数Ａ３を示す「−」の１つが１拍となるのは、図６と同じである。これにより、演奏者は楽譜８３の音名Ａ１の下に記載された右手及び左手に対応する指番号Ａ２に対応する左右の指で、当該指に対応する鍵盤２の鍵２Ａを押すことで、所定の曲をピアノで弾くことができる。
【００２７】
（楽譜の第４具体例）
図９は、左右の指を同時に使って演奏する際に用いるピアノ演奏用の楽譜８４を示す。楽譜８４は、上下二段の五線譜８４Ａ，８４Ｂを１組とする大譜表である。上段に示された右手用の五線譜８４Ａには、図６と同様に音名Ａ１及び指番号Ａ２が記載されているが、下段に示されたい左手用の五線譜８４Ｂは、音名Ａ１及び指番号Ａ２が記載されていない。また、１段目の第４小節では、最初の「ミ」が実際の楽譜では符点四分音符であるが、この場合は「−」でなく、その音ミの母音である「イ」を、音名Ａ２の右横に表示することで八分音符（拍数）を表している。さらに、上段の五線譜８４Ａの上にはアルファベットの数字が記載されているが、これは左手が弾く「コード」を記載したものである。
【００２８】
［コードを利用した両手での同時演奏］
演奏者は、図９の楽譜８４を用いてピアノを弾く場合、右手は、上段の五線譜８４Ａで音名Ａ１の下に表示された指番号Ａ２に対応する指で、鍵盤２の鍵２Ａで押す。同時に左手は、上段の五線譜８４Ａの上部に記載されたコードを弾くことになる。図９の例では、最初の小節の上部に「C」と記載されているので、「C」の和音である「ドミソ」を左手で弾くことになり、ドミソに対応する指で鍵盤２の所定の鍵２Ａを押す。
【００２９】
左手でコードを弾く場合、例えばCであれば「ドミソ」であるが、これに対応する音名Ａ１を鍵盤２の鍵２Ａを同時に押しても良いし、全部あるいはそのいくつかの音を、また根音（第１音）の鍵盤２の鍵２Ａをリズムに合わせて順番に押しても良い。また、コードであるので、Cの場合、必ずしも「ドミソ」でなく「ミソド」や「ソドミ」と押しても差し支えない。右手で弾く音やリズムに合わせて、演奏者がピアノを演奏する都度、自分の気に入った弾き方で弾けばよい。さらに、図９では左手の五線譜８４Ｂが空欄になっているので、ピアノを弾く前に、左手で弾くコードの音名やリズムを、演奏者が五線譜８４Ｂ上に自由に記載しても構わない。
【００３０】
以上、楽譜８１，８２，８３，８４を参照して説明したが、図２に示した丸付き数字で示した指番号Ａ２と、楽譜に表示される音名Ａ１との対応は、楽譜８１，８２，８３，８４の例に限定されない。つまり、弾こうとする曲に応じて、楽譜に表示される指番号Ａ２と、音名Ａ１との位置関係の対応は変更可能であることは言うまでもない。また、図２では、右手の親指（指番号親指「１」）は音名の「ド」に対応しているが、必ずしもこれに限定されるものでなく、曲によっては音名の「レ」や「ソ」に対応させることは言うまでもない。同様に左手の指番号と音名の関係も同様である。
【００３１】
左手で弾くコードについても、必ずしもそのコードの和音を同時に弾く必要はなく、右手の音名やリズムに合わせて演奏者の好みに応じて適宜弾くことは構わない。このように、本実施形態の楽譜８１，８２，８３，８４は、指番号Ａ２と音名Ａ１及び拍数Ａ３を楽譜上で対応させているので、演奏者が楽譜を一読（目視）することで、指番号Ａ２と音名Ａ１及び拍数Ａ３の対応を簡単に理解でき、初心者が楽譜を理解できないという困難さを克服できる。
【００３２】
図１０には、ピアノ演奏用の楽譜表示システム（以下、単に「楽譜表示システム」と略記する。）９０の一例が示されている。楽譜表示システム９０は、演奏者がピアノを弾く場合に、演奏者が楽譜８１，８２，８３，８４等を視認できるように表示するものである。楽譜表示システム９０は、通信回線９１を介して楽譜提供設備９２へ接続可能である。
【００３３】
楽譜表示システム９０と楽譜提供設備９２とが、異なる建物に存在している場合、通信回線９１は、インターネットを含む。楽譜表示システム９０と楽譜提供設備９２とが、同じ建物内に存在している場合、通信回線９１は、ＬＡＮケーブル、近距離無線通信等を含む。楽譜提供設備９２は、楽譜及び鍵盤楽器の演奏練習等のサービスを提供する音楽教室、音響会社等の何れでもよく、開設しているホームページ、サイト等で楽譜を提供する。なお、楽譜表示システム９０が楽譜を楽譜提供設備９２から入手した後は、通信回線９１の有無に関わらず、楽譜表示システム９０において、楽譜８１，８２，８３，８４等を表示可能である。
【００３４】
楽譜提供設備９２は、楽譜を含む情報、データ、画像等を信号化して送信する送信部を備えている。送信部は、送信機、固定型端末、携帯型端末等を含む。固定型端末は、デスクップ型パーソナルコンピュータ、ノートブック型パーソナルコンピュータ等を含み、かつ、カメラを有する。携帯型端末は、タブレット、スマートフォン等を含み、かつ、カメラを有する。
【００３５】
楽譜表示装置システム９０は、例えば、固定型端末または携帯型端末の何れでもよい。固定型端末は、デスクップ型パーソナルコンピュータ、ノートブック型パーソナルコンピュータ等を含む。携帯型端末は、タブレット、スマートフォン等を含む。楽譜表示システム９０は、本体部９０Ａ、表示部９３、内部記憶装置９４、情報読み取り部９５、操作部９６、通信部９７、制御部９８を有する。
【００３６】
本体部９０Ａは、合成樹脂及び金属等によって構成されたケーシングであり、本体部９０Ａに、表示部９３、内部記憶装置９４、情報読み取り部９５、操作部９６、通信部９７、制御部９８が設けられている。制御部９８は、内部記憶装置９４、情報読み取り部９５、操作部９６、通信部９７との間で、信号の送信及び受信がおこなわれるように、無線または有線で接続されている。
【００３７】
楽譜表示システム９０が固定型端末であると、表示部９３は、液晶モニタを含み、表示部９３は、ホームページ、鍵盤楽器のレッスンサイト、楽譜等を表示する。内部記憶装置９４は、ハードディスクドライブ（ＨＤＤ：Hard Disk Drive ）、ソリッドステートドライブ（ＳＤＤ：Solid State Drive ）等を含む。情報読み取り部９５は、記録媒体９９、例えば、コンパクトディスク（ＣＤ：Compact Disc）、デジタルビデオディスク（ＤＶＤ：Digital Versatile Disc）等から情報（楽譜）を読み取る光学式読み取り装置、紙面の楽譜をスキャンして情報（楽譜）を読み取るスキャナに接続される各種ケーブルまたはフラッシュメモリ等が差し込まれるスロットを含む。情報読み取り部９５が光学式読み取り部である場合、情報読み取り部９５は、本体部９０Ａの内部に設けられていてもよいし、本体部９０Ａの外部に設けられていてもよい。
【００３８】
楽譜表示システム９０が固定型端末であると、操作部８６は、キーボード、マウス、パッド、タッチペン等を含む。楽譜表示システム９０が固定型端末であると、通信部９７は、ＬＡＮケーブルを着脱可能なスロット、無線ＬＡＮの子機が接続されるスロット等を含む。通信部９７は、楽譜を含む情報、データ、画像等を、信号によって受信する要素である。楽譜表示システム９０は、有線または無線の少なくとも一方により、通信回線９１へ接続可能である。制御部９８は、入力インタフェース、出力インタフェース、演算処理装置等を有するマイクロコピュータである。
【００３９】
楽譜表示システム９０が携帯型端末であると、表示部９３は、液晶画面、ガラス画面を含み、表示部９３は、ホームページ、鍵盤楽器のレッスンサイト、楽譜等を表示する。内部記憶装置９４は、内蔵メモリを含む。楽譜表示システム９０が携帯型端末であると、情報読み取り部９５は、カード型メモリ、各種ケーブルが接続されるスロットを含む。楽譜表示システム９０が携帯型端末であると、操作部９６と表示部９３とは共通である。楽譜表示システム９０が携帯型端末であると、通信部９７は、内蔵型通信機、ケーブル着脱ソケットを含む。楽譜表示システム９０が携帯型端末であると、制御部９８は、入力インタフェース、出力インタフェース、演算処理装置等を有するマイクロコンピュータである。制御部９８は、単数の電子部品、または複数の電子部品で構成されている電子回路、モジュール、ユニットの何れでもよい。
【００４０】
演奏者は、楽譜表示システム９０を利用して、楽譜提供設備９２、情報読み取り部９５、内部記憶装置９４の少なくとも１つをから入手した楽譜を、表示部９３で表示できる。まず、演奏者が楽譜提供設備９２から、楽譜を入手する例を説明する。演奏者は、操作部９６を操作して、楽譜提供設備９２のホームページ、サイトなどにアクセスし、カメラ映像及び音声を含む鍵盤楽器のレッスン画面において、リアルタイムで講師からレッスンを受ける。ここで、講師が楽譜をカメラ映像で送信すると、演奏者は受信した映像の楽譜を、表示部９３で目視可能である。
【００４１】
演奏者が内部記憶装置９４から楽譜を入手する場合、演奏者は予め操作部９６を操作して、楽譜提供設備９２から楽譜をダウンロードし、制御部９８は、ダウンロードした楽譜を内部記憶装置９４に記憶させる。演奏者が操作部９６を操作すると、制御部９８は、内部記憶装置９４に記憶されている楽譜を読み出して、表示部９３に表示させる。
【００４２】
演奏者が情報読み取り部９５から楽譜を入手する場合、演奏者は、ピアノ教室などから楽譜が記憶された記録媒体９９として、ＣＤ、ＤＶＤ、メモリカード等を入手しておく。そして、演奏者が、記録媒体９９を情報読み取り部９５へ挿入するとともに、操作部９６を操作すると、情報読み取り部９５は、記録媒体９９に記憶されている楽譜を読み取り、制御部９８は、楽譜を表示部９３で表示させる。なお、演奏者が、情報読み取り部９５または内部記憶装置９４から楽譜を入手する場合、演奏者は、ピアノの演奏練習を、講師のレッスンに合わせてリアルタイムで行うこと、または、講師のレッスンとは異なるタイミングで単独で行うこと、を任意に選択できる。
【００４３】
以上説明したように、本実施形態の楽譜表示システム９０によれば、制御部９８が表示部９３で楽譜を表示させる。その楽譜における音符７２の位置に、その音符７２に対応する音名Ａ１がカナで表示され、かつ、その音名Ａ１に対応付けられた指番号Ａ２が、音名Ａ１の下に表示されている。また、音名Ａ１の拍数Ａ３が、音名Ａ１の右横に表示されている。したがって、ピアノ初心者や高齢者は、表示部９３で表示された楽譜を見れば、音名Ａ１及び指番号Ａ２と、鍵盤２の鍵２Ａとの位置関係、拍数Ａ３を理解できるので、ピアノ初心者や高齢者は容易にピアノを弾くことが可能になり、高齢者にとっては認知症予防の一助となる。さらに、音名Ａ１が音符７２の位置に表示されているため、演奏者は高低を視覚的に理解可能である。
【００４４】
本実施形態で説明した事項の技術的意味の一例は、次の通りである。楽譜表示システム９０は、楽譜表示システムの一例である。表示部９３は、表示部の一例である。制御部９８は、制御部の一例である。内部記憶装置９４及び記録媒体９９は、それそれ記憶装置の一例である。楽譜８１，８２，８３，８４は、楽譜の一例である。音名Ａ１は、音名の一例であり、指番号Ａ２は、指番号の一例であり、拍数Ａ３は、拍数の一例である。８２Ａ，８２Ｂ，８３Ａ，８３Ｂ，８４Ａ，８４Ｂは、五線譜の一例である。通信回線は、無線または有線の何れでもよい。
【００４５】
本実施形態における鍵盤楽器は、ピアノの他、オルガン、エレクトーン、シンセサイザー、キーボード等を含む。ピアノは、グランドピアノ、アップライトピアノ、電子ピアノ等を含む。また、内部記憶装置９４に代えて、本体部９０Ａの外部に設けられた外付の外部記憶装置が設けられていてもよい。外部記憶装置は、楽譜を含む情報、データ、画像等を記憶している。制御部９８は、外部記憶装置に対して、無線または有線で接続される。制御部９８は、外部記憶装置に記憶されている楽譜を読み出して表示部９３で表示させる。外部記憶装置は、記憶装置の一例である。
【００４６】
本実施形態において、楽譜表示システム９０がテレビ受像機であり、楽譜提供設備９２が固定型端末または携帯型端末であってもよい。また、楽譜表示システム９０がテレビ受像機であり、楽譜提供設備９２がテレビ局または電波塔であってもよい。さらに、楽譜表示システム９０がテレビ受像機であり、楽譜提供設備９２がＤＶＤプレーヤであってもよい。さらに、表示部９３をテレビ受像機が備え、制御部９８、通信部９７、内部帰国装置９４、操作部９６、情報読み取り部９５を、固定型端末または携帯型端末が備えていてもよい。さらにまた、表示システム９０が、通信回線９１及び楽譜提供設備９２を含んでいてもよい。
【産業上の利用可能性】
【００４７】
本実施形態の鍵盤楽器演奏用の楽譜表示システムは、演奏者が自宅で行う個人練習、演奏者が自宅にいながら、鍵盤楽器教室の講師から指導を受ける非対面（オンライン）型のレッスン、演奏者が鍵盤楽器教室等に出向いて講師から指導を受ける対面型のレッスンの何れにも用いることができる。したがって、初心者や高齢者が容易に鍵盤楽器を弾くことが可能になり、個人または団体による利用の他、学校教育の分野、音楽教育の分野、高齢者の認知症予防という医療の分野において広く利用することができる。
【符号の説明】
【００４８】
８１，８２，８３，８４…楽譜、８２Ａ，８２Ｂ，８３Ａ，８３Ｂ，８４Ａ，８４Ｂ…五線譜、９０…楽譜表示システム、９３…表示部、９８…制御部、Ａ１…音名、Ａ２…指番号、Ａ３…拍数
【図１】
0003231531.tif 000003
【図２】
0003231531.tif 000004
【図３】
0003231531.tif 000005
【図４Ａ】
0003231531.tif 000006
【図４Ｂ】
0003231531.tif 000007
【図５】
0003231531.tif 000008
【図６】
0003231531.tif 000009
【図７】
0003231531.tif 000010
【図８】
0003231531.tif 000011
【図９】
0003231531.tif 000012
【図１０】
0003231531.tif 000013